(57)【要約】【課題】スケルトン型浄活水器として、透視可能な円筒体を有する本体を備え、内部を透視し、浄活水材の状態を監視することにより、必要に応じて適時に浄活水材の交換を可能となし、水質管理を一層効果的に実行することができる。【解決手段】外周に一対のホースジョイントを、中央孔にマニホールド及び下部キャップを備えた台座と、内側上、下に各配設のパンチング間に複数段層の浄活水材を充填し、且つ活性炭バスケット内に装填した活性炭充填メッシュ袋を備えたスケルトンパイプと、上部キャップ装着の上部蓋と、前記上部パンチング、メッシュ袋詰め活性炭の装填された活性炭バスケット、複数段層の浄活水材及び下部パンチングの中央部を貫通し、上部キャップ及び、下部キャップに接続のマホールドに取り付けられるセンターパイプとから構成される。【選択図】図１
2006061782.tif 000002
【特許請求の範囲】
【請求項１】
（１）外周に入口又は出口をなす一対のホースジョイントを備えると共に中央孔に嵌合装着されるマニホールド及び下部キャップを備えた台座と、
（２）台座に装着の前記マニホールドに螺着するねじ部をその下端に備えると共に、その上端に上部キャップを羅着するねじ部を備え、内部に通路を備えたセンターパイプであって、その上部外周に上部パンチングを、下部外周に下部パンチング、中間部外周に中間パンチングをそれぞれ備え、且つ上部パンチングと中間パンチングの間に活性炭バスケットを備え、中間パンチングを挟んで上下にマグネットの取着されたセンターパイプと、
（３）前記センターパイプを内部に収容して包囲して配設される透明材のスケルトンパイプと、
（４）前記センターパイプとスケルトンパイプとによって形成される環状空間を備え、当該環状空間内において、上部パンチングで施蓋する活性炭バスケット内に装填される活性炭充填メッシュ袋、及び活性炭バスケットと下部パンチングの間の、中間パンチング、マグネットを中間に含んだ環状の空間に複数段層に重畳充填される複数の浄活性材と、
（５）前記スケルトンパイプとセンターパイプとの頂部を施蓋すると共に、センターパイプの中央孔に前記上部キャップを嵌合装着し、当該上部キャップをセンターパイプに螺着して取着する上部蓋と
から構成され、透明材のスケルトンパイプを通して浄活水器の内部を透視し、浄活水器内部の汚染状態を監視可能としたことを特徴とするスケルトン型浄活水器。
【請求項２】
請求項１において、スケルトンパイプが透明のプラスチック材であり、複数の浄活性材の一つに酸化チタンを採用し、内設されたマグネットと酸化チタンの浄活性材、及びスケルトンパイプを透過する光によって浄活性材に発生する有機物を分解可能としたことを特徴とするスケルトン型浄活水器。
【請求項３】
請求項１又２において、活性炭バスケットを内部にメッシュ袋詰めして装填される活性炭の袋詰め体は、活性炭を、ナイロン、テトロン等の糸で製作された80〜100メッシュ程度の粗さのメッシュ袋に充填して作製した活性炭充填メッシュ袋を使用し、前記活性炭充填メッシュ袋を複数個用いて装填可能としたことを特徴とするスケルトン型浄活水器。
【請求項４】
請求項１ないし３のいずれかにおいて、台座とスケルトンパイプと上部蓋を、スケルトンパイプの内部に取り付けられるセンターパイプを介して、センターパイプの一端を台座のマニホールドに螺着し、センターパイプの他端を上部蓋に装着の上部キャップで螺着して組立て、台座に備えた一方の入口となるホースジョイント、マニホールドの通路、センターパイプの内部通路及び上部開口を経る上昇流を形成し、上部蓋の空室、上部パンチング、メッシュ袋詰め活性炭、複数段層の浄活性材及び下部パンチングを経る下降流を形成し、さらに台座に形成の通路、及び他方の出口となるホースジョイントを経る水の流路を形成して浄活水の取り出しを可能とし、且つ、一方の入口となるホースジョイントと他方の出口となるホースジョイントを同じ側面に配置したことを特徴とするスケルトン型浄活水器。
【発明の詳細な説明】
【技術分野】
【０００１】
本発明は、活水材及び水浄化材を本体内に充填した浄活水器において、透視可能な円筒体を有する本体を備えて、その内部を透視できるようにすると共に、円筒体内部に活性炭粉末を充填した袋詰めの活水材を装填可能にすることによって、活水材及び水浄化材の監視の下、交換を好適に容易に実施できるようにすると共に、交換後における袋詰めの活水材の廃棄処分を容易にしたスケルトン型浄活水器に関するものである。
【背景技術】
【０００２】
従来、浄活水器において、カートリッジタイプの濾材を使用して交換を容易にすることがある。この場合、バラバラの活性炭又は粉末圧縮した活性炭をプラスチック製のカートリッジに充填し、カートリッジを支持するタイプのものである。
【０００３】
例えば、図５（ａ）は、先行の浄活水器（特開２０００−０５１８７０）を示す。
この先行例においては、高度の浄水能力を持ちながら必要なミネラル分を残した上でさらにより水を活性化させることで、健康を回復させ増進させる機能を備えた人の心身両面に作用する浄水器として、健康を増進させるミネラル分を多く含む鉱石や、精神を安定させる効力を持つ宝石を数多く本体内部に内蔵するものである。本体20の内部に、濾過材25とハーキマ・ダイヤモンド石28、命根石24、400種類以上の薬草や鉱物を原材料とする特殊セラミック23、麦飯石、ニ価三化鉄塩珊瑚、千枚石、医王石、シリカブラック、トルマリン、磁鉄鋼、ラジウム石、真珠11等多種類の宝石や鉱石の組み合わせ27、フェライト磁石26が装填される。本体20の水出口22に、宝石のコンテナー29が装着される。水は水入口21から本体20内で浄化され水出口22から取り出される。
バラバラの活性炭及び粉末圧縮した活性炭をプラスチック製のカートリッジに充填し、カートリッジを支持するタイプのものも存在する（特開平１１−２２６５６４号公報）。
【０００４】
実際の使用において、浄活水器内に装填されたカートリッジタイプの濾材は、その推奨の寿命期限が経過し、浄化・活性化機能が低下しても、いつまでも忘れられたまま使用に供されることが多い。このため、濾材にコケのようなものが発生するようになっても、これを知らずに使用されるおそれがあり、その場合には、衛生上好ましくないものとなることがあり、このため、浄活水器の機能維持管理上に問題を残していた。
【０００５】
このように、実際の使用において、濾過機能を有効に維持するため、濾材の濾過機能の寿命表示があるものの、寿命期間を管理することは難しく、飲料水として好ましくない状態であることを気づかずに使用されているケースが発生するため、濾材の寿命を的確に管理し、濾材の交換期間を適切に管理して、常に適正な水管理が維持できるようにする必要が求められていた。
【０００６】
そこで、この改善策として、消耗品の交換時期を使用水量の計測によって行うため、このため使用水量を計測する流量計とこれを表示する表示部を設ける方法があった。
図５（ｂ）は、従来の表示部を設けた浄活水器（特開２０００−１２６７６０）を示す。
【０００７】
浄活水器として、おいしい浄活水を作り出すことができ、且つ、消耗品の交換時期を常時表示することができ、表示のための流量測定を安定した状態で長期間行うことのできるようにするものである。浄化部31に第１通水路34を介して最初に流入するようにし、この浄化部31の後流側に第２通水路35を介して活性化部32を接続するとともに、第２通水路35内に流量計36を配置して、流量計36によって計測された水量を架台30の表面に設けた表示部38によって表示するようにしてある。水道水を浄化部31によって浄化しながら、活性化部32によって活性化する浄活水器である。水は、第１通水路34から浄化部31に最初に流入し、この浄化部31の後流側第２通水路35を介して、前記活性化部32に接続される。その際、前記第２通水路35内に配置した流量計36により水量を計測し、計測された水量は架台の表面に設けた表示部38において表示される。
【０００８】
しかし、上記浄活水器においては、消耗品の交換時期を常時表示するため，流量計及び表示機を付設する必要があり、いきおい浄活水器の製作コストが高価になるものであった。そして、浄活水器において、消耗品の交換時期を、流量計及び表示機を付設することなく、容易に検知、判定することのできる低廉な方法は開発されていなかった。
【０００９】
いづれにしても、先行例の浄活水器では、水質の改善が実行できるものであったが、製造コストが高く、また、組み立て構造が複雑であり、カートリッジ式であることから活性炭充填の空間確保に制約を受け、大量に活性炭を充填できる構造となっていないため、濾過機能の寿命を長期に維持する上で制約があり、さらに、充填する活性炭を廃棄する場合、取り出しが容易にできるよう配慮された構造を有するものでなかった。そして、カートリッジの材質から、交換後のカートリッジを含めた活性炭の廃棄は、一般ゴミとして廃棄できず、廃棄処理上に問題を残すものであった。
【００１０】
また、上記した活性炭の粉末をプラスチック製のカートリッジに充填しカートリッジを支持するタイプのもの、圧縮活性炭と称して、圧縮した活性炭の専用のカートリッジを用いて支持するタイプのもののいずれにおいても、カートリッジ自体はその製作上金型を必要とするためコストが掛かり、また活性炭はその使用において吸着効果を向上させるため、活性炭の性質として、ある程度、水中で動くことが大切であるが、その水中での動きを良くするために、なお改良が必要とされるものであった。
【特許文献１】特開２０００−０５１８７０号公報
【特許文献２】特開平１１−２２６５６４号公報
【特許文献３】特開２０００−１２６７６０号公報
【発明の開示】
【発明が解決しようとする課題】
【００１１】
従来の浄活水器において、その内部を透視することができないので、充填されている浄化材の浄化機能を確認することが困難であると共に、円筒体内部に活性炭粉末を充填した活水材が交換できたとしても、製造上高価であるカートリッジは、その交換後の廃棄処分について問題を残していた。そこで、本発明が解決しようとする問題点は、上記の事情に鑑み、浄活水器の本体筒部に透明材料を使用することによって内部を透視可能とし、これにより、アクリル樹脂等の透明材料製本体透明筒部の内部に多段層をなして充填された浄活性材、濾過による浄化作用と浄活性材自体の活性化作用を備えた浄活性材の汚染状態を透視することができ、同時に水の流れを観察することができるので、汚染状態が即座に確認でき、使用者に対して安心感を与えることができる。また、簡単な構造によって部材交換などのメンテナンスを的確に実施することができる。
【００１２】
本発明は、活性炭バスケットの設置により、浄活水器内に装填される濾過材としての微粒子活性炭について、実際の使用に際して、メッシュ袋に入れて装填可能とした。メッシュ袋詰め活性炭の採用により、従来のカートリッジ装填の場合よりも、製造が容易であってコスト的に有利であり、活性炭の水中での移動効果が大きいものとすることができ、濾過作用による浄化機能を向上させることができるものであった。メッシュ袋詰めされているので、接触表面積を大きくとることができ、またメッシュ袋内での活性炭の自由度が高いと考えられるので、カートリッジの場合よりも水中での活性炭の動きを良くすることができると考えられる。
【課題を解決するための手段】
【００１３】
本発明は、活水材及び水浄化材を本体内に充填した浄活水器において、透視可能な円筒体を有する本体を備えて、その内部を透視できるようにすると共に、円筒体内部に活性炭粉末を充填した袋詰め活水材を装填可能として、交換と交換後の廃棄処分を容易にしたスケルトン型浄活水器を提供するものである。
【００１４】
本発明は、より具体的には、（１）外周に入口又は出口をなす一対のホースジョイントを備えると共に中央孔に嵌合装着されるマニホールド及び下部キャップを備えた台座と、（２）台座に装着の前記マニホールドに螺着するねじ部をその下端に備えると共に、その上端に上部キャップを羅着するねじ部を備え、内部に通路を備えたセンターパイプであって、その上部外周に上部パンチングを、下部外周に下部パンチング、中間部外周に中間パンチングをそれぞれ備え、且つ上部パンチングと中間パンチングの間に活性炭バスケットを備え、中間パンチングを挟んで上下にマグネットの取着されたセンターパイプと、（３）前記センターパイプを内部に収容して包囲して配設される透明材のスケルトンパイプと、
（４）前記センターパイプとスケルトンパイプとによって形成される環状空間を備え、当該環状空間内において、上部パンチングで施蓋する活性炭バスケット内に装填される活性炭充填メッシュ袋、及び活性炭バスケットと下部パンチングの間の、中間パンチング、マグネットを中間に含んだ環状の空間に複数段層に重畳充填される複数の浄活性材と、（５）前記スケルトンパイプとセンターパイプとの頂部を施蓋すると共に、センターパイプの中央孔に前記上部キャップを嵌合装着し、当該上部キャップをセンターパイプに螺着して取着する上部蓋とから構成され、透明材のスケルトンパイプを通して浄活水器の内部を透視し、浄活水器内部の汚染状態を監視可能としたことを特徴とするスケルトン型浄活水器を提供する。
本発明は、スケルトンパイプが透明のプラスチック材であり、複数の浄活性材の一つに酸化チタンを採用し、内設されたマグネットと酸化チタンの浄活性材、及びスケルトンパイプを透過する光によって浄活性材に発生する有機物を分解可能としたことを特徴とするスケルトン型浄活水器を提供する。
【００１５】
また、本発明は、活性炭バスケットを内部にメッシュ袋詰めして装填される活性炭の袋詰め体は、活性炭を、ナイロン、テトロン等の糸で製作された80〜100メッシュ程度の粗さのメッシュ袋に充填して作製した活性炭充填メッシュ袋を使用し、前記活性炭充填メッシュ袋を複数個用いて装填可能としたことを特徴とするスケルトン型浄活水器を提供する。
【００１６】
さらに、本発明は、台座とスケルトンパイプと上部蓋を、内部に取り付けられるセンターパイプを介して、センターパイプの一端を台座のマニホールドに螺着し、センターパイプの他端を上部蓋に装着の上部キャップで螺着して組立て、台座に備えた一方の入口となるホースジョイント、マニホールドの通路、センターパイプの内部通路及び上部開口を経て上昇流を形成し、上部蓋の空室、上部パンチング、メッシュ袋詰め活性炭、複数段層の浄活水材、下部パンチングを経て下降流を形成し、さらに台座に形成の通路及び、他方の出口となるホースジョイントを経る水の流路を形成して浄活水を取り出し可能とし、且つ、一方の入口となるホースジョイントと他方の出口となるホースジョイントを同じ側面に配置したことを特徴とするスケルトン型浄活水器をも提供する。  
【発明の効果】
【００１７】
本発明のスケルトン型浄活水器によれば、透視可能な円筒体を有するスケルトンパイプからなる本体を備えて、その浄活水器の内部を常時透視して観察することが可能であるので、浄活水材の汚染状態を監視し、浄活水器内部の清浄維持を、適切に管理することができ、スケルトンパイプから監視される透視状態から必要に応じて適時に交換することができ、浄活水器の水質を一層効果的に管理できるという利点がある。
【００１８】
また、円筒体内部に活性炭粉末を充填した袋詰めの活水材を装填可能として、活水材を袋詰めする袋に、ナイロン、テトロン等の糸で製作された80〜100メッシュ程度の荒さの網袋を用いているので、形状変形が容易であり、装填される活性炭バスケットの円環状の空間をなす形状にすぐ馴染んで装填できるので、装填時の作業を効率的に実行することができる。活性剤袋詰めメッシュ袋の交換時には、浄活水器本体の上部キャップを外し上部蓋を開き、上部パンチングを取り外すことにより、袋毎の交換が簡単にできる。また、交換後の取出した活性炭充填メッシュ袋について、その廃棄処分も通常の燃えるゴミとして対処できるので、廃棄処分が一般ゴミと一緒に簡単に済ませることができる。
【００１９】
浄活水器における活性炭の収容機構として、今までのカートリッジの場合にはカートリッジ自体の製作において高価な金型が必要であり、トータル的にコスト高となるものであったが、本発明においては、カートリッジが不要で、カートリッジ製作の金型が不必要であることからコストの大幅な軽減化を図ることができる。
【００２０】
従来の浄活水器においては、浄活水器内の浄活水材に光が当たるとコケのようなものが発生したので、このコケ発生の原因となる光を排除するため、光を遮断する構造とした。このため、内部が見えず、却って、衛生上の不安材料を残すものであった。しかし、本発明では、逆に内部の浄活水材を透視可能とし、浄活水材の汚染度を視覚的に確認できるようにしたので、安心感を与えることができるものとなった。
【００２１】
また、従来は、濾過材に光が当たるとコケのようなものが発生するものであったが、本発明においては、複数の浄活水材の一つに酸化チタンを採用し、内設されたマグネットと酸化チタンの浄活水材とスケルトンパイプを透過する光の活用によって、却って有機物分解を促進することが判明し、光活用による有機物分解作用を効果的に利用できるので、この点からも衛生上の向上を図ることができ安心感を与えることができる。
【００２２】
台座の一方の入口となるホースジョイントから流入した水が、前記活性炭装填用バスケットを経て複数段層の浄活水材を流下する状態を、透明なスケルトンパイプを通して外側から透視することができるので、流動物が視認できる動きのある置物としても意匠的効果も備えている。
【発明を実施するための最良の形態】
【００２３】
透視可能な円筒体を有する本体は、製造上透明のアクリル樹脂が好適であるが、ガラス製の円筒体であっても差し支えない。
活性炭として銀蒸着やしガラ粒状活性炭を利用する。銀蒸着やしガラ粒状活性炭の使用によって、水道水特有のカルキ臭や残留塩素、トリハロメタン等の化学物質を取り除き、長期にわたって使用することができる。
【００２４】
活性炭充填メッシュ袋は、図３（a）に示すように、合成樹脂性の極細繊維で織った長尺の袋物を一端を所定の接着代を以って溶着し、袋物の開口部から粒子状の前記銀蒸着やしガラ活性炭を充填し、図３（ｂ）に示すように、袋物の他端開口部を所定の溶着代を以って溶着接合することによって、一つの扁平状の活性炭充填メッシュ袋として作成される。この場合、粒子状の活性炭を袋詰めするメッシュ体の網目の大きさは、ナイロン、テトロン等の糸で製作された80〜100メッシュ程度の荒さのものの場合に好都合であった。
【００２５】
また、活性炭バケットの環状空間に活性炭充填メッシュ袋を装填するに際して、軸方向で環状空間の２分の１の容積となる寸法で作成し、２袋を使用して装填する作業の場合に、作業効率がよく、また装填後の隙間のない確実な実装が可能であった。３袋、４袋と増やすことによっても差し支えない。
【００２６】
活性炭バケットの環状空間の略一周の長さの活性炭充填メッシュ袋を作成し、活性炭バケットの環状空間に一周回して装填したとき活性炭充填メッシュ袋の端部が突合せ状態になるように装填し、メッシュ袋の端部の突合せ位置が同一の位置にならないように、端部の突合せ位置を互いに変位させた位置となるようにしながら数段重ねて装填することも可能である。
【００２７】
複数の浄活水材として、具体的には、白色の金平糖状セラミック、茶色の金平糖状セラミック、麦飯石、白い珊瑚の粒体を使用することができ、白色の金平糖状セラミックにより、まろやかなおいしい水に変えられ、茶色の金平糖状セラミックにより、水の波動を発生し、マイナスイオンを含んだ水につくり変えられ、また、麦飯石から溶出したミネラルを含んで、水のｐＨが調整され、さらに白い珊瑚の粒体によって、ｐＨが一層高く調節され、家庭用の飲料水として、調理したときに素材の味、風味を活かすことのできる調理水として利用できる。この場合、スケルトン型浄活水器内部の前記活性炭装填用バスケット及び複数層の浄活水材の汚染状態を、色調の変化から監視することが可能である。
【００２８】
浄活水器は水廻り品であるので、浄活水器を構成する各部材の接続端部、接合面間には、適宜シール材を介在させることが好ましく、シール材として、シールパッキング、Ｏリングが介在される。
【００２９】
スケルトン型浄活水器の台座周面に形成した一つの平坦面に、浄活水器における入口、出口となる一対のホースジョイントが配置されており、これによって、ゴムホース等の水廻りの配管接続作業が、一方の側において円滑に実行できるし、また、逆洗時においても、出口、入口を逆に配管接続するのみで簡単に実施できるので、同じ側面において、ホースジョイントの配管接続作業を効率的に実施することができる。
【００３０】
スケルトン型浄活水器の台座下面に取着する下部キャップは、下部キャップの下端頭部が、台座の底面に形成した凹部内に収められ、台座の底面から突出することがなく、安定した台座を形成する。
【００３１】
浄活水器本体の上部蓋が、スケルトンパイプの径より大径の傘状の屋根構造を有し六角頭を有した上部キャップによって取着され、下端は上部キャップの径より大径の台座構造を備えているので、安定した構造体をなしている。
【００３２】
銀蒸着椰子殻粒状活性炭を充填したメッシュ袋が装填され、活性炭用バスケットが金メッキが施されている場合には、これによって、高波動のアップされた水を創成することができる。
【実施例１】
【００３３】
図１は、本発明浄活水器おいて、浄活水材等を充填する前の浄活水器断面図である。
台座１は、図１に示すように、その外周に入口Pi又は出口Ｐoをなす一対のホースジョイント17,18を備え、台座１内において、入口Pi側のホースジョイント17は横通路１aと連通し, 出口Ｐo側のホースジョイント18は横通路１c、縦通路１bを介して内部空間に連通している。図１（b）において、一対のホースジョイント17,18は同一面に配置されるが、必ずしも同一面であることはなく、対向位置、直角位置など任意に設計することができる。台座１の中央にはマニホールド5の取付け孔が形成され、この中央取付け孔に、内側からマニホールド５を、外側から下部キャップ７を個別に挿通して突合せ、両者を相互にねじ込み、両部材のフランジ部により挟着する形で螺着される。大径部、小径部及びフランジを備えたマニホールド5は大径部に形成した外周溝によって、環状通路5aが形成され、前記横通路１aを通じて入口Piとなるホースジョイント17に通じている。また、マニホールド5の中央には竪穴５cが形成され、横孔５bを介して環状通路5aに通じている。竪穴５cの上方延長筒部にねじが形成されており、センターパイプ４の下端がねじ込み可能に構成されている。竪穴５cの上方延長筒部にセンターパイプ４の下端を螺合して取り付けた状態で、竪穴５cはセンターパイプ４内の通路４aと連通する。
【００３４】
台座1の上端には、濾過された水を縦通路１bに導く空洞が形成され、この空洞の外周は、後述する下部パンチング9の周縁を支える座を形成している。また、座の一端周縁近傍にスケルトンパイプの端部を密封して支持するためのシール材受け溝を備えている。
【００３５】
センターパイプ4の組立てに当たっては、センターパイプ4の下端側に形成された下端外ねじ部に、取付けナット6により下部パンチング9を、マニホールド5の上方延長筒状突起の長さを残して、所定の位置に取り付ける。
【００３６】
センターパイプ4の下端側所定位置に定着された取り付けナット6の上方にマグネット支持スリーブ13が嵌挿され、座金を介してマグネット14bを、さらに中間パンチング12を挟んでマグネット14aを積重ねて取着する。中間パンチングは、上部パンチング10や下部パンチング9と同様、金属板の表面にパンリングによって所定形状のパンチング孔を多数散在して形成し、粒状体を支持すると共に流体を通過させることのできる部材である。
【００３７】
図１（a）に示すように、センターパイプ4において、その上端から活性炭バスケット11を挿通させ、マグネット14aの上方位置に定着される。この場合、センターパイプ4に挿通された活性炭バスケット11の底部において、座金を介してストップリングによって定着されている。取着された活性炭バスケット11の上方開口が上部パンチング10により施蓋されるように、上部パンチング10をセンターパイプ4の上方から挿通し、装着する。
【００３８】
下部パンチング9を取着したセンターパイプ4の下端ねじ4dを台座に取着したマニホールド5の内ねじ突起5gに螺着して組み立てたとき、下部パンチング9の下面外周が、台座1の上面の形成の空洞の外周に形成された周状の座によって支持される。
【００３９】
台座1に対する上記センターパイプ4との組立てにおいて、センターパイプ4に下部パンチング9を止めナット6により取着した段階で、台座1に組み込んだマニホールド5にねじ込んで組立て、斯かる組立て状態のセンターパイプ4を内部に収容するようにしながらスケルトンパイプ2を挿通して組立て、台座1の端面にスケルトンパイプ2の端口を当接して取付ける。
【００４０】
なお、このとき下部パンチング9を取り付けたセンターパイプ4を台座1のマニホールド5に螺着したとき、下部パンチング9の外周は台座1に形成された環状座に支持される。
図４で示すように、スケルトンパイプ2内には、浄活水材15a、15b、15c、15dが順に積層をなすように充填されている。積層充填に当たって、活性炭バスケット11を取着する前段階で、マグネット14及び中間パンチング12とスケルトンパイプ1の間の環状空間の通路を通じて浄活水材15a、次いで浄活水材15bを順に充填する。次いで、マグネット14及び中間パンチング12の位置において、これらの部材を埋尽くすように酸化チタンの浄活水材を充填する。その後、浄活水材15dを、浄活水材15ｃ上に積層をなして充填する。浄活水材15の積層充填を完了した段階で、前記した活性炭バスケット11の取付を実施する。
浄化機能を有する濾過材として、竹炭、例えば銀蒸着やし殻活性炭のような活性炭、水中の鉛分吸着作用を有するセオボードが採用され、活性機能を有する浄活水材として、マイナスイオンを創成するセラミック、トルマリン、麦飯石、医王石などが採用され、上記浄活水材15a、15b、15dは、前記した浄化機能又は活性機能を有する浄活水材の中から適宜選択された浄活水材ある。その際積層の順番は問わない。
【００４１】
上述のスケルトンパイプ内への浄活水材の多重積層充填作業を終えた後、センターパイプ4に一端から活性炭バスケット11を挿通させ、前記中央に取り付けたストップリングにより係止した座金上に載せ、活性炭バスケット11を取り付ける。次いで、この活性炭バスケット11内に、活性炭16aを充填して袋詰めしたメッシュ袋16を数袋、相互の当接表面間に隙間が生じないように埋め尽くして装填する。活性炭バスケット11内へのメッシュ袋16装填作業後、センターパイプ4の上端から、上部パンチング10を挿通し、メッシュ袋16の装填された活性炭バスケット11の上に上部パンチング10を載置する。
【００４２】
上記した上部パンチング10を活性炭バスケット11の上に取り付けた後、スケルトンパイプの他方の端口に、上部蓋3の中央孔部にセンターパイプ4の一端を挿通しながら上部蓋3を載せ、次いで、上部蓋3の中央孔部に上部キャップ8を嵌合し、上部キャップ8をセンターパイプ4の端部に螺着する。上部キャップ8を螺着によって、上部パンチング10の周囲は活性炭バスケット11の外周縁と上部蓋3の下面に形成された環状座の間に挟着される。
【００４３】
以上のように、台座1、スケルトンパイプ2及び上部蓋3は、スケルトンパイプ2の内部で、下部パンチング5と上部パンチング10の間に、中間パンチング12及びマグネット14を埋設する形態をなして複数の浄活水材を多層に充填し、活性炭バスケットに活性炭を袋詰めしたメッシュ袋を装填して組立てられた状態で、台座1に下部キャップ7で取り付けられたマニホールド5と、センターパイプ4と、上部蓋3に嵌合する上部キャップ8のそれぞれの螺着によって、図４に示すように、取付け組立てられる。
【００４４】
なお、図２は、浄活水材15の積層充填及び活性炭バスケット11へのメッシュ袋装填を実施しない段階での組立状態を示し、浄活水器は、図１の周方向９０度変更した位置から見た図２に示すものであって、ホースジョイントの入口Ｐｉと出口Ｐｏとが同じ面に配設される。
【００４５】
上記したように組立てられたスケルトンタイプ浄活水器において、供給された水は、図4に示すように、一方の入口となるホースジョイント17、台座1の横通路１a、マニホールド5の環状通路5a、横孔5b、縦穴5c、センターパイプ4の内側管路の通路4a、上部開口4bを経て、上部蓋3の空室3aに四方に導入される。次いで、上部蓋3の空室3a上部から、上部パンチング10の細孔によって均質に分散して流出され、メッシュ袋詰め活性炭16a、複数段層の浄活水材15ｄ、中間パンチング12及びマグネット14、浄活水材15ｃ、15b、15ａを経て浄活水化され、下部パンチング9、台座1に形成の縦通路1b、横通路1c、他方の出口となるホースジョイント18を経て浄活水の取り出しが可能となっている。
【００４６】
以上、本発明によれば、内側上部に上部パンチングをまた内側底部に下部パンチングを備え、上下パンチング間に活性炭及び複数段層の浄活水材を装填すると共に、前記活性炭がメッシュ袋詰めして装填される活性炭バスケットを内部に備えたスケルトンパイプと、中央孔に上部キャップを嵌合装着する上部蓋と、前記上部パンチング、メッシュ袋詰め活性炭の装填された活性炭バスケット、複数段層の浄活水材及び下部パンチングの中央部を貫通し、上部キャップ及び、下部キャップに接続のマホールドに取り付けられるセンターパイプとから構成され、スケルトンパイプは透明プラスチック材になるので、スケルトン型浄活水器の汚れ状態を常時監視することができるので、忘れることなく常に安心しておいしい水を提供することができる。
【００４７】
また、本発明によれば、活性炭バスケットを内部にメッシュ袋詰めして装填される活性炭の袋詰め体は、やしガラの活性炭を、ナイロン、テトロン等の糸で製作された80〜100メッシュ程度の荒さの網袋に充填して作製したものを使用し、前記やしガラ充填メッシュ袋を複数個を用いて装填したので、スケルトン型浄活水器の清掃で、不要物の処理において、通常のゴミ処理として、処分することが可能である。
【００４８】
さらに、本発明によれば、マニホールドを下部キャップによりねじ込んで一体化した台座と、台座の端面にスケルトンパイプの一方の端口を重ね、スケルトンパイプの他方の端口に上部蓋を重ね、中央にセンターパイプの一端をマニホールドに螺着し、センターパイプの他端に上部蓋に嵌合装着する上部キャップを螺着した組立てであるので、簡単に組立て製作することができ、また、一方の入口となるホースジョイント、マニホールドの通路、センターパイプの内側管路、上部開口、上部蓋の空室、上部パンチング、メッシュ袋詰め活性炭、複数段層の浄活水材、下部パンチング、台座に形成の他の通路及び、他方の出口となるホースジョイントを経て浄活水を取り出し可能とし、ホースジョイントを一側にまとめたので、据付けの便利さと同時にスケルトン型浄活水器のコンパクトな構造として製作が可能である。
【００４９】
複数の浄活水材の一つに酸化チタンを採用し、内設されたマグネットと酸化チタンの浄活水材、及びスケルトンパイプを透過する光の活用によって、有機物を分解しコケの発生を予防を浄活水器の衛生上の向上を図ることができる。
【産業上の利用可能性】
【００５０】
飲料用水を得る家庭用浄活水器としての利用を主用途として開発されたものであるが、この浄活水器に充填される多段の浄活水材はその種類によって、色調が異なるので、色彩的な意匠性を利用することにより、多彩な置物として、例えば、鑑賞魚育成水槽の器具の一つとしての浄化装置として利用することが可能である。この場合、浄化装置は小型化した構造のものとして設計される。
【図面の簡単な説明】
【００５１】
【図１】本発明の浄活水材を充填する以前の浄活水器本体の構造を示す概要図であり、（a）は側方断面図であり、（b）はX―X位置平面における断面図である。
【図２】本発明の浄活水材を充填する以前の浄活水器本体の構造を示した正面概要図である。
【図３】活性炭充填メッシュ袋の概要を説明するための図であり、（a）は活性炭充填メッシュ袋の写真（表面の白線は写真撮影時の反射光である）を示し、（b）は、図３（a）におけるB―B線上の断面概要図を示す。
【図４】本発明の浄活水器内に浄活水材を充填した状態を示す概要図であり、（a）は側方縦断面図であり、（b）は同図（a）X―X位置平面における断面図である。
【図５】先行技術を概説するための図であり、（a）は、バラバラの活性炭を充填した浄活水器の例を示し、(b)は、表示部を設けた浄活水器の例を示す。
【符号の説明】
【００５２】
１    台座  ；
１ａ    横通路
１ｂ    縦通路
１ｃ    横通路
２    スケルトンパイプ
３    上部蓋
３ａ    空室
４    センターパイプ；
４ａ    通路
４ｂ    開口  
４ｃ    外ねじ
４ｄ    外ねじ
５    マニホールド；  
５ａ    環状通路  
５ｂ    横孔  
５ｃ    縦穴
５d     ねじ
５ｅ    外ねじ
５ｆ    外ねじ突部
５ｇ    内ねじ突部
６    止めナット
７    下部キャップ
７ａ    雌ねじ、
８    上部キャップ
８ａ    雌ねじ
９    下部パンチング
１０  上部パンチング
１１  活性炭バスケット
１２  中間パンチング
１３  マグネット支持スリーブ
１４ａ  マグネット
１４ｂ  マグネット
１５ａ  浄活水材１
１５ｂ  浄活水材２
１５ｃ  浄活水材３
１５ｄ  浄活水材４
１６    活性炭充填メッシュ袋
１６ａ    メッシュ袋
１６ｂ    活性炭
１７    ホースジョイント
１８    ホースジョイント
Ｐｉ    入口
Ｐｏ    出口
ｈ    接合代  
２０    本体
２１    水入口
２２    水出口
２３    特殊セラミック
２４    命根石  
２５    濾過材
２６    フェライト磁石
２７    宝石や鉱石の組合せ
２８    ハーキマ・ダイヤモンド石
２９    宝石のコンテナー
３０    架台
３１    浄化部
３２    活性化部
３３    水道接続管
３４    第１通水路
３５    第２通水路
３６    流量計
３７    吐出管
３８    表示部
【図１】
2006061782.tif 000003
【図２】
2006061782.tif 000004
【図３】
2006061782.tif 000005
【図４】
2006061782.tif 000006
【図５】
2006061782.tif 000007